(57)【特許請求の範囲】
【請求項１】
うき本体の中央に糸通し孔が設けられた中通しうきにおいて、前記糸通し孔の上部にうき止め体が自在に嵌入するうき止め挿入穴を設け、
しかも、前記うき本体は、楕球状となって下部に重りが装着されていることを特徴とする中通しうき。
【請求項２】
前記うき止め挿入穴は前記うき本体の全長の１／５〜４／５の深さを有する請求項１記載の中通しうき。
【発明の詳細な説明】
【０００１】
【産業上の利用分野】
本発明は、うき釣り仕掛けに用いる中通しうきに関する。
【０００２】
【従来の技術】
中通しうきを用いた一般的な釣り用仕掛けは、図３に示すように、釣り糸（道糸）３０をうき止め体３１と中通しうき３２とに挿通し、該釣り糸３０の端部に重り３３を取付けた状態でサルカン３４を連結し、該サルカン３４の下部にハリス３６を介して釣り針３５を取付け、更に釣り糸３０の所定位置にうき止め３７を固定して構成されている。そして、仕掛けが水中に投下されると、中通しうき３２は浮力によって水面にあるが、釣り糸３０は重り３３によって先部から沈下し、うき止め体３１がうき止め３７に掛止して所定深さに仕掛けが止まり、釣りを行うようにしていた。
【０００３】
【発明が解決しようとする課題】
しかしながら、前記従来例に係る釣り用仕掛けにおいては、中通しうき３２の頂部にうき止め体３１が乗るようになるので、うき止め体３１による風の影響を受け易く中通しうき３２が傾き易いという問題点があった。
また、仕掛けを投入する場合には、中通しうき３２とうき止め体３１が分離して飛行するので飛行抵抗があり、更にはうき止め体３１が比較的大きい場合には、仕掛けが絡む場合があるという問題点があった。
本発明はかかる事情に鑑みてなされたもので、仕掛けが風の影響を受け難く、仕掛け絡みも少なく、更には誘い釣り等も好適な中通しうきを提供することを目的とする。
【０００４】
【課題を解決するための手段】
前記目的に沿う請求項１記載の中通しうきは、うき本体の中央に糸通し孔が設けられた中通しうきにおいて、前記糸通し孔の上部にうき止め体が自在に嵌入するうき止め挿入穴を設け、しかも、前記うき本体は、楕球状となって下部に重りが装着されている。
また、請求項２記載の中通しうきは、請求項１記載の中通しうきにおいて、前記うき止め挿入穴は前記うき本体の全長の１／５〜４／５の深さを有して構成されている。
【０００５】
【作用】
請求項１、２記載の中通しうきは、糸通し孔の上部にうき止め体が自在に嵌入するうき止め挿入穴を設けているので、仕掛けを投入する場合には、うき止め体がうき止め挿入穴に嵌入した状態で飛行し、仕掛け絡みが減少すると共に風抵抗が減少する。
そして、仕掛けを水中に投入した場合には、うき止め体がうき止め挿入穴に納まるので、風抵抗が減少し中通しうきが風によって斜めになったり、あるいは流されることが少ない。
ここで、うき止め挿入穴の深さを深くすると、うき止め体がうき本体の下部に位置するので、魚信があった場合にはうき本体の下部に力がかかり、そのままの状態で引き込むので、うきの安定性が良い。
特に、請求項２記載の中通しうきにおいては、うき止め挿入穴はうき本体の全長の１／５〜４／５の深さとしている。これによってうき止め体が完全にうき本体に嵌入するからであり、うき止め挿入穴の深さが１／５より小さいとうき止め体がうき本体の上部から露出する恐れがあり、４／５より深いと穴底の厚みが薄くなって、重り等の取付けに支障を生ずるからである。
【０００６】
【実施例】
続いて、添付した図面を参照しつつ、本発明を具体化した実施例につき説明し、本発明の理解に供する。
ここに、図１は本発明の第１の実施例に係る中通しうきの側断面図、図２は本発明の第２の実施例に係る中通しうきの側断面図である。
【０００７】
図１に示すように、本発明の第１の実施例に係る中通しうき１０は、球状のうき本体１１からなって、内部に糸通し孔１２とうき止め挿入穴１３が形成されている。前記うき本体１１は浮力を有する木材あるいはプラスチック等からなって、必要に応じて下部には重りが装着されている。なお、うき本体１１の材料に木材を使用する場合には十分な防水塗装が施されている。
【０００８】
前記中通しうき１０を使用する場合には、うき止め体１４をうき止め挿入穴１３の内径より十分小さいものを使用する。これによって、うき止め体１４が中通しうき１０の中に嵌入するので、うき止め体１４による風の影響が無くなり、更には仕掛け絡み等も無くなる。
【０００９】
次に、図２に示す本発明の第２の実施例に係る中通しうき１５について説明するが、うき本体１６は木材あるいはプラスチックからなり、楕球状となって下部に重り１７が装着されている。
そして、うき本体１６の中央にはポリプロピレン等からなる径の異なるガイド管１８、１９が設けられ、これによって糸通し孔２０と、うき止め挿入穴２１を形成している。前記ガイド管１８は釣り糸２２が十分に挿通する径を有すれば十分であり、その内径は例えば０．５〜１．５ｍｍ程度となっている。また、前記ガイド管１９はうき止め体２３が遊嵌する必要があるので、その内径は例えば４〜６ｍｍ程度となっている。この実施例ではうき止め挿入穴２１の深さはうき本体１６の高さの約７割程度であるが、１／５〜４／５程度であれば十分である。
【００１０】
この中通しうき１５を使用する場合には、うき止め体２３にはうき止め挿入穴２１の内径より小さいものを使用する。この中通しうき１５においても、前記第１の実施例と同様、うき止め体２３が中通しうき１５の内部に入り込むことになり、風の影響を受けにくいという利点を有する。
更には、糸通し孔２０の長さが短いので、糸通りが良くなり、釣り糸２２を引き寄せて誘いをかける場合には、中通しうき１５を引き寄せることなく、釣り針に装着された釣り餌のみを引き寄せることができる。これによって中通しうき１５はその場所を保持するので、仕掛けの投入位置を中通しうき１５によって確認しながら釣りを行うことができる。
【００１１】
前記第２の実施例において、うき本体１６を木材で作る場合には、表面に防水塗装を行うことは当然であるが、内側のガイド管１８、１９の端部をうき本体１６に密着して取付けることによって、シール材としても作用することになる。
また、前記それぞれの実施例においては、うき止め挿入穴はストレートであったが、上部又は全体が上方に開くテーパー状とすることも可能であり、これによってうき止め体がうき本体の端部で引っ掛かることなく、円滑に嵌入する。
【００１２】
【発明の効果】
請求項１、２記載の中通しうきは以上の説明からも明らかなように、糸通し孔の上部にうき止め挿入穴が設けられているので、うき止め体がこの中に嵌入し、中通しうきと一体となる。従って、仕掛けの投入時に風の影響を受けにくく、更に一体として飛行するので、飛距離が増すことになる。
また、中通しうきを水面に浮かべた場合には、うき止め体がうき止め挿入穴に嵌入しているので、横風の影響を受けにくく、風によって仕掛けが流され難く、あるいは中通しうきが風に吹かれて傾き難いという利点を有する。
そして、うき止め体が止まる部分がうき本体の頂部より下にあるので、うきの安定が良く比較的軽い重りでも直立し、これによって魚の喰いが促進される。
【図面の簡単な説明】
【図１】本発明の第１の実施例に係る中通しうきの側断面図である。
【図２】本発明の第２の実施例に係る中通しうきの側断面図である。
【図３】従来例に係る釣り用仕掛けの斜視図である。
【符号の説明】
１０  中通しうき
１１  うき本体
１２  糸通し孔
１３  うき止め挿入穴
１４  うき止め体
１５  中通しうき
１６  うき本体
１７  重り
１８  ガイド管
１９  ガイド管
２０  糸通し孔
２１  うき止め挿入穴
２２  釣り糸
２３  うき止め体
【図１】
0003568585.tif 000002
【図２】
0003568585.tif 000003
【図３】
0003568585.tif 000004